(57)【要約】【課題】戸袋を有する引戸ユニットにおいて、控え壁の取り付け及び取り外しを容易にする。【解決手段】引戸ユニット１は、開口部５に固定される戸枠１３と、戸枠１３の枠内に走行可能に取付支持される３枚の引戸１１と、開口部５の戸枠１３の厚さ方向一方側に配設され、控え壁７とともに戸袋を形成する控え壁パネル１５と、天井面１８及び床面２２に固定されたＴ字状の固定部材３７とを備え、控え壁パネル１５は、固定部材３７にネジ止めされて開口部５に設置されている。【選択図】図５
2014177760.tif 000002
【特許請求の範囲】
【請求項１】
控え壁を備えた開口部に設置される引戸ユニットであって、
上記開口部に固定される戸枠と、
上記戸枠にその内部を走行可能に取付支持される引戸と、
上記戸枠の厚さ方向一側に配設され、上記控え壁との間に戸袋を形成する控え壁パネルと、
上記開口部の開口端縁の少なくとも上端又は上記戸枠の少なくとも上端に固定され、上記控え壁パネルを上記開口部内又は上記戸枠内に取外し可能に固定するための固定部材とを備えることを特徴とする引戸ユニット。
【請求項２】
開口部に設置される引戸ユニットであって、
上記開口部に固定される戸枠と、
上記戸枠にその内部を走行可能に取付支持される引戸と、
上記戸枠の厚さ方向両側に配設され、各々の間に戸袋を形成する一対の控え壁パネルと、
上記開口部の開口端縁の少なくとも上端又は上記戸枠の少なくとも上端に固定され、上記控え壁パネルを上記開口部内又は上記戸枠内に取外し可能に固定するための固定部材とを備えることを特徴とする引戸ユニット。
【請求項３】
請求項１又は２に記載の引戸ユニットにおいて、
上記固定部材は、上記開口部の開口端縁又は上記戸枠の内周面に固定される固定部と、該固定部の幅方向一端から開口部内側に向かって延びるパネル取付部とを有するＬ字状をなし、
上記控え壁パネルは、上記パネル取付部に取外し可能に固定されていることを特徴とする引戸ユニット。
【請求項４】
請求項１又は２に記載の引戸ユニットにおいて、
上記各固定部材は、上記開口部の開口端縁又は上記戸枠の内周面に固定される固定部と、該固定部の幅方向中間部から開口部内側に向かって突出するパネル取付部とを有するＴ字状をなし、
上記控え壁パネルは、上記パネル取付部と対向する部位に溝が形成されていて、該溝に上記パネル取付部が嵌め込まれた状態で該パネル取付部に取外し可能に固定されていることを特徴とする引戸ユニット。
【請求項５】
請求項１乃至４のいずれか１項に記載の引戸ユニットにおいて、
上記控え壁パネルの外表面には、ハンギングレールが設けられていることを特徴とする引戸ユニット。
【請求項６】
請求項１乃至５のいずれか１項に記載の引戸ユニットにおいて、
上記控え壁パネルの外表面には、調湿材が設けられていることを特徴とする引戸ユニット。
【発明の詳細な説明】
【技術分野】
【０００１】
本発明は、戸袋を形成するための壁パネルを有する引戸ユニットに関する。
【背景技術】
【０００２】
引戸は、開時に該引戸が障害物とならず便利である。特に、戸袋を有する引戸は、戸袋外壁に物品を吊り下げる等の用途に利用できるため、より便利である。しかし、戸袋を構成する２枚の控え壁を設けなければならず、設置に手間がかかる。このような手間を低減すべく、引戸や戸袋等をユニット化したものがある。
【０００３】
特許文献１に記載の引戸ユニットでは、戸枠内に引戸が走行可能に組み込まれ、戸枠の戸袋領域には、一対の控え壁が戸袋を形成するように固定されている。
【０００４】
特許文献２に記載の引戸ユニットでは、戸枠内に引戸が設けられるとともに、戸枠に戸袋を有する控え壁本体が固定され、該控え壁本体の外面を覆う表面パネルが戸枠に設けた溝部に嵌込支持され、控え壁本体の戸袋口側の縁部に方立部材が固定されている。控え壁本体は、複数本の縦材と横材とを組み合わせた骨組み体で構成され、この骨組み体に表面パネルが取り付けられている。
【先行技術文献】
【特許文献】
【０００５】
【特許文献１】特許２７３９９１９号公報（段落０００９欄、段落００１３欄、図１、図２）
【特許文献２】特開２００７−３１９５７号公報（段落００１８欄、段落００２６欄、図１〜図３、図６）
【発明の概要】
【発明が解決しようとする課題】
【０００６】
しかしながら、特許文献１の引戸ユニットは、戸袋を形成する控え壁が戸枠に固定されているので、控え壁を取り外すことが困難であり、戸袋内に設けられている例えば引戸の走行部や引戸をゆっくりと閉じるためのソフトクローズ機構等のメンテナンスの際に手間がかかる。また、特許文献２の引戸ユニットは、戸袋部分の表面パネルを外して戸袋内のメンテナンスが可能であるが、表面パネルを取り付けるための骨組み体が必要なので施工に手間がかかる。
【０００７】
本発明は、かかる点に鑑みてなされたものであり、その目的は、戸袋を有する引戸ユニットにおいて、控え壁の取り付け及び取り外しを容易にすることにある。
【課題を解決するための手段】
【０００８】
上記目的を達成するために、本発明は、控え壁の構造を工夫した。
【０００９】
具体的には、第１の発明は、控え壁を備えた開口部に設置される引戸ユニットが対象である。
【００１０】
そして、上記開口部に固定される戸枠と、上記戸枠にその内部を走行可能に取付支持される引戸と、上記戸枠の厚さ方向一側に配設され、上記控え壁との間に戸袋を形成する控え壁パネルと、上記開口部の開口端縁の少なくとも上端又は上記戸枠の少なくとも上端に固定され、上記控え壁パネルを上記開口部内又は上記戸枠内に取外し可能に固定するための固定部材とを備えることを特徴とする。
【００１１】
この第１の発明では、固定部材を開口部の開口端縁又は戸枠内周縁に固定し、その後、控え壁パネルを該固定部材に固定することにより、簡単に施工することができる。また、この控え壁パネルが固定部材に取外し可能に固定されているので、戸袋内のメンテナンスを行う際、控え壁パネルを簡単に取り外すことができる。
【００１２】
また、この第１の発明では、開口部に予め設けられた控え壁を利用し、その控え壁と上記控え壁パネルとによって戸袋を形成するので、部品点数を比較的少なくすることができる。
【００１３】
第２の発明は、開口部に設置される引戸ユニットが対象である。
【００１４】
そして、上記開口部に固定される戸枠と、上記戸枠にその内部を走行可能に取付支持される引戸と、上記戸枠の厚さ方向両側に配設され、各々の間に戸袋を形成する一対の控え壁パネルと、上記開口部の開口端縁の少なくとも上端又は上記戸枠の少なくとも上端に固定され、上記控え壁パネルを上記開口部内又は上記戸枠内に取外し可能に固定するための固定部材とを備えることを特徴とする。
【００１５】
この第２の発明では、固定部材を開口部の開口端縁又は戸枠内周縁に固定し、その後、両控え壁パネルを該固定部材に固定することにより、簡単に施工することができる。また、両控え壁パネルが固定部材に取外し可能に固定されているので、戸袋内のメンテナンスを行う際、控え壁パネルを簡単に取り外すことができる。
【００１６】
また、この第２の発明では、一対の控え壁パネルで戸袋を形成するので、開口部に控え壁が予め設けられていない場合でも戸袋を設けることができる。
【００１７】
第３の発明は、第１又は第２の発明において、上記固定部材は、上記開口部の開口端縁又は上記戸枠の内周面に固定される固定部と、該固定部の幅方向一端から開口部内側に向かって延びるパネル取付部とを有するＬ字状をなし、上記控え壁パネルは、上記パネル取付部に取外し可能に固定されていることを特徴とする。
【００１８】
この第３の発明では、Ｌ字状の固定部材を、そのパネル取付部が開口部内側を向くように開口部の開口端縁又は戸枠の内周面に固定し、その後、開口部内側に突き出たパネル取付部に控え壁パネルを固定するという簡単な作業で控え壁を施工することができる。また、固定部材が開口部の開口端縁上端又は戸枠内周縁の上端だけに固定される場合、控え壁パネルが該固定部材によって吊り下げられた状態で設置されるので、比較的少ない部品点数で控え壁を構成することができる。
【００１９】
第４の発明は、第１又は第２の発明において、上記各固定部材は、上記開口部の開口端縁又は上記戸枠の内周面に固定される固定部と、該固定部の幅方向中間部から開口部内側に向かって突出するパネル取付部とを有するＴ字状をなし、上記控え壁パネルは、上記パネル取付部と対向する部位に溝が形成されていて、該溝に上記パネル取付部が嵌め込まれた状態で該パネル取付部に取外し可能に固定されていることを特徴とする。
【００２０】
この第４の発明では、Ｔ字状の固定部材を、そのパネル取付部が開口部内側を向くように開口部の開口端縁又は戸枠の内周面に固定し、その後、パネル取付部に控え壁パネルの溝を合わせて控え壁パネルをスライド移動させて取り付けることができるので、控え壁を簡単に施工することができる。
【００２１】
第５の発明は、第１乃至第４のいずれか１つの発明において、上記控え壁パネルの外表面には、ハンギングレールが設けられていることを特徴とする。
【００２２】
この第５の発明では、控え壁パネルの外表面に設けられたハンギングレールに物品を吊持することができる。
【００２３】
第６の発明は、第１乃至第５のいずれか１つの発明において、上記控え壁パネルの外表面には、調湿材が設けられていることを特徴とする。
【００２４】
この第６の発明では、控え壁パネルの外表面に設けられた調湿材で室内空間を調湿することができる。
【発明の効果】
【００２５】
以上説明したように、第１の発明によると、固定部材を開口部の開口端縁又は戸枠内周縁に固定し、その後、控え壁パネルを該固定部材に固定することにより、簡単に施工することができる。また、この控え壁パネルが固定部材に取外し可能に固定されているので、戸袋内のメンテナンスを行う際、控え壁パネルを簡単に取り外すことができる。また、開口部に予め設けられた控え壁を利用し、その控え壁と上記控え壁パネルとによって戸袋を形成するので、部品点数を比較的少なくすることができる。
【００２６】
第２の発明によると、固定部材を開口部の開口端縁又は戸枠内周縁に固定し、その後、両控え壁パネルを該固定部材に固定することにより、簡単に施工することができる。また、両控え壁パネルが固定部材に取外し可能に固定されているので、戸袋内のメンテナンスを行う際、控え壁パネルを簡単に取り外すことができる。また、一対の控え壁パネルで戸袋を形成するので、開口部に控え壁が予め設けられていない場合でも戸袋を設けることができる。
【００２７】
第３の発明によると、Ｌ字状の固定部材を、そのパネル取付部が開口部内側を向くように開口部の開口端縁又は戸枠の内周面に固定し、その後、開口部内側に突き出たパネル取付部に控え壁パネルを固定するという簡単な作業で控え壁を施工することができる。また、固定部材が開口部の開口端縁上端又は戸枠内周縁の上端だけに固定される場合、控え壁パネルが該固定部材によって吊り下げられた状態で設置されるので、比較的少ない部品点数で控え壁を構成することができる。
【００２８】
第４の発明によると、Ｔ字状の固定部材を、そのパネル取付部が開口部内側を向くように開口部の開口端縁又は戸枠の内周面に固定し、その後、パネル取付部に控え壁パネルの溝を合わせて控え壁パネルをスライド移動させて取り付けることができるので、控え壁を簡単に施工することができる。
【００２９】
第５の発明によると、控え壁パネルの外表面に設けられたハンギングレールに物品を吊持することができる。
【００３０】
第６の発明によると、控え壁パネルの外表面に設けられた調湿材で室内空間を調湿することができる。
【図面の簡単な説明】
【００３１】
【図１】本発明の実施形態１に係る引戸ユニットを示す斜視図である。
【図２】本発明の実施形態１に係る引戸ユニットを示す平面図である。
【図３】控え壁パネルをスライド移動させた状態を示す図１相当図である。
【図４】控え壁パネルをスライド移動させた状態を示す図２相当図である。
【図５】戸袋に引戸が収納された状態における図１のＶ−Ｖ線断面図である。
【図６】図５の控え壁パネルを示す拡大断面図である。
【図７】図１の矢印ＶＩＩ方向から見た拡大図である。
【図８】本発明の実施形態１の変形例に係る引戸ユニットを示す図５相当図である。
【図９】本発明の実施形態２に係る引戸ユニットを示す図５相当図である。
【図１０】図９の控え壁パネルを拡大した断面図である。
【図１１】本発明の実施形態２の変形例に係る引戸ユニットを示す図５相当図である。
【図１２】その他の実施形態に係る引戸ユニットを示す図１相当図である。
【図１３】その他の実施形態に係る引戸ユニットを示す図１相当図である。
【発明を実施するための形態】
【００３２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３３】
《発明の実施形態１》
図１は本発明の実施形態１に係る引戸ユニット１を示す斜視図である。図２は該引き戸ユニット１の平面図である。上記引戸ユニット１は、屋内空間を仕切る壁（図示せず）に設けられた矩形状の開口部５に設置される。該開口部５の一半部（図１で左半部）には予め控え壁７が設けられ、該控え壁７が該一半部を常時閉鎖すると共に他半部（図１で右半部）の出入口９を形成し、該出入口９を３枚連動タイプの引戸１１が開閉する。以下では、説明の便宜上、図１の右側を右側とし、図１の左側を左側とし、上記引戸１１の厚さ方向を単に厚さ方向とする。
【００３４】
上記引戸ユニット１は、上記開口部５に固定される戸枠１３を有し、該戸枠１３に上記３枚の引戸１１が走行可能に取付支持されている。該戸枠１３の厚さ方向反控え壁７側には控え壁パネル１５が設置され、該控え壁パネル１５と上記控え壁７とによって上記３枚の引戸１１を収容するための戸袋１７が形成されている。
【００３５】
図３及び図４は上記控え壁パネル１５を右側にスライド移動させた状態を示す図であって、図３は図１相当図、図４は図２相当図である。図５は、上記戸袋１７に上記３枚の引戸１１が収納された状態を示す図１のＶ−Ｖ線拡大断面図である。図６は、図５の控え壁パネル１５を示す拡大断面図である。図７は図１の矢印ＶＩＩ方向から見た図である。なお、図５乃至図７では後述するクロス４５を省略している。
【００３６】
上記戸枠１３は、上記開口部５左右両端に設置される一対の縦枠１９と、天井面１８（開口部５の開口端縁上端）に固定され、該一対の縦枠１９の上端同士を繋ぐ上枠２０とを備えた三方枠である。該上枠２０には、３本の上部レール２１が固定されている。なお、図１乃至図４では、上記引戸ユニット１の構造を把握しやすくするため、上記上枠２０及び上部レール２１を省略している。図５に示すように、上記上枠２０には、左右方向に延びる凹部２３が形成されており、該凹部２３の底に上記上部レール２１が厚さ方向に並んで固定されている。該上部レール２１には吊車２５が左右方向に走行可能に取り付けられている一方、上記引戸１１の上端には吊戸連動具２７が取り付けられており、吊戸連動時に該吊戸連動金具２７が上記吊車２５と連結されている。
【００３７】
厚さ方向に並んで配置されている上記３枚の引戸１１のうち中央の引戸１１の下端面にはガイド部材２９が取り付けられている一方、該中央の引戸１１の下方の床面２２（開口部５の開口端縁下端）にはガイドレール３３が設置されており、該ガイド部材２９の先端が該ガイドレール３３の溝に摺動可能に嵌合している。また、上記中央の引戸１１の厚さ方向両側面の下端部には、Ｊ字状のガイドブラケット３５が取り付けられている。また、厚さ方向両側の引戸１１の下端面には、溝１１ａが設けられ、該溝１１ａの左右方向両端が塞がれている。上記ガイドブラケット３５は、先端部が厚さ方向外側を向くように取り付けられ、厚さ方向両側の引戸１１を支持するとともに、該先端部が上記溝１１ａに摺動可能に嵌合している。
【００３８】
そして、上記３枚の引戸１１が上記戸袋１７に収容された状態で、厚さ方向一側の引戸１１（図１乃至図４で手前側の引戸１１）を右方にスライド移動させ、ガイドブラケット３５の先端部が溝１１ａの閉塞端に当接すると、それに連動して中央の引戸１１及び厚さ方向他方側の引戸１１（図１乃至図４で奥側の引戸１１）が右方にスライド移動し、上記出入口９が閉じられる。該出入口９が閉じられた状態で、厚さ方向一側の引戸１１を左方にスライド移動させ、ガイドブラケット３５の先端部が溝１１ａの閉塞端に当接すると、それに連動して中央の引戸１１及び厚さ方向他方側の引戸１１が左方にスライド移動し、上記出入口９が開く。
【００３９】
上記控え壁パネル１５は、上下一対の固定部材３７によって上記天井面１８及び床面２２に固定されている。該固定部材３７は、図６に示すように、断面Ｔ字状の長尺の金属板からなり、上記天井面１８及び床面２２に固定される固定部３７ａと、該固定部３７ａから上記開口部５内側に垂直に延びるパネル取付部３７ｂとを備えている。上記固定部３７ａは、水平な矩形板状をなし、四隅部には貫通孔３７ｃが形成されている。該固定部３７ａは、該貫通孔３７ｃを貫通するネジ３９によって上記天井面１８及び床面２２に固定されている。上記パネル取付部３７ｂは、上記固定部３７ａの幅方向中央から鉛直に延びる板状をなし、その左右両端部にはネジ孔３７ｄが貫通形成され、該ネジ孔３７ｄに上記控え壁パネル１５を取付固定するための取付ビス４１が螺合する。
【００４０】
上記控え壁パネル１５は、上記控え壁７とほぼ同一形状の矩形板材からなり、上端が上記天井面１８と僅かに間隔をあけて対向し、下端が床面２２と僅かに間隔をあけて対向し、さらに、左端が左側の上記縦枠１９と接している。該控え壁パネル１５は、上下両端面１５ａに左右方向に延びる溝１５ｂが形成されている。該溝１５ｂの深さは、上記固定部材３７のパネル取付部３７ｂの高さ寸法よりもやや大きい。また、上記控え壁パネル１５の四隅部には、上記取付ビス４１が挿通するネジ挿通孔１５ｃが形成されている。そして、上記控え壁パネル１５は、上下両溝１５ｂに上記固定部材３７のパネル取付部３７ｂが嵌め込まれ、かつ上記ネジ挿通孔１５ｃとネジ孔３７とが一致した状態で、上記取付ビス４１によって締結固定されている。
【００４１】
次に、引戸ユニット１を開口部５に設置する方法について説明する。
【００４２】
先ず、開口部５に戸枠１３を固定する。具体的には、一対の縦枠１９を開口部５の左右両内周面６に固定し、３本の上部レール２１が取付固定された上枠２０を天井面１８に固定する。また、ガイドレール３３を床面２２に固定する。次に、上下一対の固定部材３７の一方を天井面１８の控え壁７の反対側にネジ止めし、その下方の床面２２に他方の固定部材３７をネジ止めする。その際、パネル取付部３７ｂが開口部５内側に突き出るようにネジ止めする。
【００４３】
続いて、控え壁パネル１５を一対の固定部材３７に取付固定する。その際、控え壁パネル１５を一対の固定部材３７の右側に配置し、控え壁パネル１５の上側の溝１５ｂを上側の固定部材３７のパネル取付部３７ｂに合わせると共に、下側の溝１５ｂを下側の固定部材３７のパネル取付部３７ｂに合わせ、控え壁パネル１５を左側にスライド移動させて控え壁パネル１５の左端を左側の縦枠１９に接触させる。控え壁パネル１５が縦枠１９に接触した状態で、控え壁パネル１５のネジ挿通孔１５ｃとパネル取付部３７ｂのネジ孔３７ｄとが一致した状態となっている。そして、取付ビス４１をネジ挿通孔１５ｃに挿通させてネジ孔３７ｄに螺合させてネジ止めし、控え壁パネル１５を取付ビス４１の頭部とパネル取付部３７ｂとで挟み込む。その後、一対の方立部材４３を控え壁パネル１５の右側及び控え壁７の右側にそれぞれ設置固定し、控え壁パネル１５の外表面にクロス４５を貼り付ける。
【００４４】
最後に、３枚の引戸１１を戸枠１３の枠内に配置し、吊戸連動金具２７を吊車２５に連結させる。このようにして、引戸ユニット１が開口部５に設置される。なお、控え壁パネル１５の施工前に引戸１１を設置してもよい。
【００４５】
控え壁パネル１５を取り外す際には、クロス４５を剥がして取付ビス４１を露出させ、取付ビス４１を外す。そして、控え壁パネル１５を右側にスライド移動させて固定部材３７から取り外す。このように、簡単な作業で控え壁パネル１５を取り外すことができるため、戸袋１７内に容易にアクセスすることができる。
【００４６】
−発明の実施形態１の効果−
本実施形態によれば、一対の固定部材３７を天井面１８及び床面２２にそれぞれネジ止めし、その後、控え壁パネル１５を両固定部材３７に固定することにより、簡単に施工することができる。また、この控え壁パネル１５が固定部材３７に取付ビス４１で取外し可能に固定されているので、戸袋１７内のメンテナンスを行う際、取付ビス４１を外すという簡単な作業で控え壁パネル１５を取り外すことができる。また、開口部５に予め設けられた控え壁７を利用して戸袋１７を形成しているので、部品点数を比較的少なくすることができる。
【００４７】
また、本実施形態によれば、控え壁パネル１５を設置する際、控え壁パネル１５の溝１５ｃを固定部材３７のパネル取付部３７ｂに合わせ、そのまま控え壁パネル１５をスライド移動させるだけで控え壁パネル１５を所定位置に配置できるので、施工がさらに簡単である。また、控え壁パネル１５をスライド移動させる際、控え壁パネル１５の上側の溝１５ｃと上側のパネル取付部３７ｂとを係合させることによって控え壁パネル１５が厚さ方向に倒れるのを規制することができるので、控え壁パネル１５を安全に取り付けることができる。
【００４８】
なお、本実施形態では、上側の固定部材３７が天井面１８に固定されているが、これに限定されず、例えば上枠２０に固定されてもよい。また、本実施形態では、戸枠１３が三方枠であったが、これに限定されず、下枠を有する四方枠であってもよい。この場合、下側の固定部材３７が下枠に固定されてもよい。
【００４９】
（発明の実施形態１の変形例）
図８は実施形態１の変形例に係る引戸ユニット１を示す図５相当図である。本変形例に係る引戸ユニット１は、控え壁７を具備しない開口部５に設置される。そして、この引戸ユニット１は、一対の控え壁パネル１５を備え、これら一対の控え壁パネル１５によって戸袋１７を形成する。このように、一対の控え壁パネル１５で戸袋１７を形成するので、開口部５に予め控え壁７がない場合でも戸袋１７を簡単に形成することができる。
【００５０】
《発明の実施形態２》
図９は実施形態２に係る引戸ユニット１００を示す図５相当図である。実施形態２では、控え壁パネル４７がＬ字状の固定部材４９を介して天井面１８及び床面２２に取付固定される。控え壁パネル４７及び固定部材４９以外の構成は実施形態１と同じなので、同一の構成箇所には同一符号を付してその詳細な説明を省略する。
【００５１】
図１０は、図９の控え壁パネル４７を示す拡大断面図である。上記固定部材４９は、断面Ｌ字状の長尺の金属板からなり、上記天井面１８及び床面２２に固定される固定部４９ａと、該固定部４９ａの幅方向一方側端から上記開口部５内側に垂直に延びるパネル取付部４９ｂとを備えている。上記固定部４９ａは、水平な板状をなし、その左右両端部には貫通孔４９ｃが上下方向に貫通形成されており、該固定部４９は該貫通孔４９ｃを貫通するネジ３９によって上記天井面１８及び床面２２に固定されている。上記パネル取付部４９ｂは、鉛直に延びる板状をなし、その左右両端部には上記控え壁パネル１５を取付固定するための取付ビス４１が螺合するネジ孔４９ｄが貫通形成されている。
【００５２】
上記控え壁パネル４７は、上記控え壁７と同一形状の矩形板材からなり、上端が上記天井面１８と僅かに間隔をあけて対向し、下端が上記床面２２と僅かに間隔をあけて対向し、さらに、左端が左側の上記縦枠１９と接している。該控え壁パネル４７は、主体をなす矩形板状のパネル本体４７ａと、該パネル本体４７ａの上下両端に設けられ、上記パネル取付部４９ｂに固定される一対のパネル側固定部４７ｂとを備えている。該パネル側固定部４７ｂは、上記固定部材４７のパネル取付部４７ｂとほぼ同一の高さ寸法を有する矩形板状をなし、かつ上記パネル本体４７ａよりも薄く形成されており、該パネル本体４７ａの上下端面の厚さ方向外側端から上下方向外側に延びている。該パネル側固定部４７ｂの左右両端部には、上記取付ビス４１が挿通するネジ挿通孔４７ｃが形成されている。そして、上記控え壁パネル４７は、上記パネル本体４７ａが上下両固定部材４９のパネル取付部４７ｂ間に配置され、かつ上記ネジ挿通孔４７ｃとネジ孔４９ｄとが一致した状態で、上記取付ビス４１によって締結固定されている。
【００５３】
次に、引戸ユニット１００を開口部５に設置する方法について説明する。
【００５４】
先ず、開口部５に戸枠１３を固定する。戸枠１３の固定方法は、上記実施形態１と同様である。次に、一対の固定部材４９の一方を天井面１８の控え壁７の反対側にネジ止めし、その下方の床面２２に他方の固定部材４９をネジ止めする。その際、パネル取付部４９ｂが開口部５内側に突き出るようにネジ止めする。
【００５５】
続いて、控え壁パネル４７を一対の固定部材４９に取付固定する。具体的には、先ず、下側のパネル側固定部４７ｂを下側の固定部材４９に当接させ、この当接箇所を中心に控え壁パネル４９を上方に回動させ、パネル本体４７ａを両固定部材４９の間に嵌め込むとともに、上側のパネル側固定部４７ｂを上側の固定部材４９に当接させる。そして、控え壁パネル４７を僅かに落として、パネル本体４７ａを下側のパネル取付部４９ｂの上端に載せる。次に、ネジ挿通孔４７ｃとネジ孔４９ｄとが一致するように控え壁パネル４７を位置調整する。そして、取付ビス４１をネジ挿通孔４７ｃに挿通してネジ孔４９ｄにネジ止めし、取付ビス４１の頭部とパネル取付部４７ｂとでパネル側固定部４７ｂを挟み込む。その後、一対の方立部材４３を控え壁パネル１５の右側及び控え壁７の右側にそれぞれ設置固定し、控え壁パネル４７の外表面にクロス４５を貼り付ける。
【００５６】
最後に、３枚の引戸１１を戸枠１３の枠内に配置し、吊戸連動金具２７を吊車２５に連結させる。このようにして、引戸ユニット１００が開口部５に設置される。
【００５７】
控え壁パネル４７を取り外す際には、クロス４５を剥がし、取付ビス４１を露出させる。次に、取付ビス４１を外し、控え壁パネル４７を厚さ方向外側に移動させて固定部材４９から取り外す。このように、簡単な作業で控え壁パネル４７を取り外すことができるため、戸袋１７内に容易にアクセスすることができる。
【００５８】
−発明の実施形態２の効果−
本実施形態によれば、一対の固定部材４９を天井面１８及び床面２２にそれぞれネジ止めし、その後、控え壁パネル４７を両固定部材４９に固定することにより、簡単に施工することができる。また、この控え壁パネル４７が固定部材４９に取付ビス４１で取外し可能に固定されているので、戸袋１７内のメンテナンスを行う際、取付ビス４１を外すという簡単な作業で控え壁パネル４７を取り外すことができる。また、開口部５に予め設けられた控え壁７を利用して戸袋１７を形成しているので、部品点数を比較的少なくすることができる。
【００５９】
また、本実施形態によれば、控え壁パネル４７を開口部５に設置する際、パネル取付部４９ｂが開口部５内側を向くように天井面１８及び床面２２に固定し、その後、戸枠１３の内側に突き出たパネル取付部４９に控え壁パネル４７のパネル側固定部４７ｂを固定するという簡単な作業で控え壁を施工することができる。
【００６０】
なお、本実施形態では、上側の固定部材４９が天井面１８に固定されているが、これに限定されず、例えば上枠２０に固定されてもよい。また、本実施形態では、戸枠１３が三方枠であったが、これに限定されず、下枠を有する四方枠であってもよい。この場合、下側の固定部材４９が下枠に固定されてもよい。
【００６１】
（発明の実施形態２の変形例）
図１１は実施形態２の変形例に係る引戸ユニット１００を示す図８相当図である。本変形例では、戸袋１７を形成する一対の控え壁７がいずれも控え壁パネル４７によって構成されている。このように、一対の控え壁パネル４７で戸袋１７を形成するので、開口部５に控え壁７が予め設けられていない場合でも戸袋１７を簡単に形成することができる。
【００６２】
（その他の実施形態）
上記実施形態では、固定部材３７，４９が天井面１８及び床面２２に設置されているが、これに限定されず、天井面１８だけに設置されてもよい。この場合、控え壁パネル１５は、天井面１８に設置された固定部材３７，４９によって吊持されるので、少ない部品点数で控え壁を構成することができる。
【００６３】
また、上記実施形態では、控え壁パネル１５の外表面にクロス４５を貼り付けているが、これに限定されない。例えば、図１２及び図１３に示すように、控え壁パネル１５の外表面に複数本のハンギングレール５１を設置して棚５３等を設けてもよい。この場合、図１２に示すように、ハンギングレール５１を鉛直方向に延びるように設置してもよく、または、図１３に示すように、水平方向に延びるように設置してもよい。また、屋内空間を調湿するために、控え壁パネル１５の外表面に調湿材を設けてもよい。また、コルクボードやホワイトボードを設けて掲示板とすることもできる。このように、控え壁パネル１５を容易に取り付け・取り外しができるので、いろいろな用途に対応することができる。
【００６４】
また、上記実施形態では、天井面１８の開口部５に対応する部位が天井面１８の他の部位と同じ高さ位置にあるが、これに限定されず、例えば開口部５に対応する部位に垂れ壁が設けられてもよい。その場合、戸枠１３及び固定部材３７，４９は、垂れ壁の下面に固定されてもよい。
【００６５】
また、上記実施形態では、クロス４５が控え壁パネル１５の表面だけに貼り付けられているが、これに限定されず、控え壁パネル１５、縦枠１９及び該縦枠１９に連続する壁に一体的に貼り付けられてもよい。これにより、控え壁パネル１５から壁に亘る壁面が一体的に見えて、見栄えが良い。
【００６６】
さらに、上記実施形態では、３枚の引戸１１が用いられているが、これに限定されず、１枚、２枚又は４枚以上の引戸１１を用いてもよい。
【００６７】
さらにまた、上記実施形態では、引戸１１が上吊引戸であったが、これに限定されない。
【産業上の利用可能性】
【００６８】
以上説明したように、本発明に係る引戸ユニットは、控え壁の取り付け及び取り外しを容易にする用途に適用することができる。
【符号の説明】
【００６９】
１，１００      引戸ユニット
３              壁
５              開口部
７              控え壁
１１            戸
１３            戸枠
１５，４７      控え壁パネル
１５ｂ          溝
１７            戸袋
１８            天井面（開口部の開口端縁）
２２            床面（開口部の開口端縁）
３７，４９      固定部材
３７ａ，４９ａ  固定部
３７ｂ，４９ｂ  パネル取付部
５１            ハンギングレール
【図１】
2014177760.tif 000003
【図２】
2014177760.tif 000004
【図３】
2014177760.tif 000005
【図４】
2014177760.tif 000006
【図５】
2014177760.tif 000007
【図６】
2014177760.tif 000008
【図７】
2014177760.tif 000009
【図８】
2014177760.tif 000010
【図９】
2014177760.tif 000011
【図１０】
2014177760.tif 000012
【図１１】
2014177760.tif 000013
【図１２】
2014177760.tif 000014
【図１３】
2014177760.tif 000015